(57)【要約】【課題】  画像の拡大設定を容易化した画像表示プログラムを提供する。【解決手段】  高精細画像全体表示部２１に拡大範囲の指定対象となる画像を表示する処理と、当該表示した画像と比べて拡大して当該画像のうちの一部の範囲の画像を拡大設定サブウインドウ７２に表示する処理と、当該表示した画像について表示枠７３によりオペレータから拡大範囲の指定を受け付ける処理と、当該指定を受け付けた拡大範囲の画像を前記拡大範囲の指定対象となる画像と比べて拡大して高精細画像拡大表示部２２ｃに表示する処理と、を実行する。【選択図】  図６
2006121551.tif 000002
【特許請求の範囲】
【請求項１】
画像を表示する画像表示装置を構成するコンピュータに実行させるプログラムであって、
拡大範囲の指定対象となる画像を表示する機能と、
前記表示された画像と比べて拡大して当該画像のうちの一部の範囲の画像を表示する機能と、
前記表示された一部の範囲の画像についてオペレータから拡大範囲の指定を受け付ける機能と、
前記指定が受け付けられた拡大範囲の画像を前記表示された拡大範囲の指定対象となる画像と比べて拡大して表示する機能を、当該コンピュータにより実現する、
ことを特徴とするプログラム。
【請求項２】
請求項１に記載のプログラムにおいて、
前記表示された拡大範囲の指定対象となる画像についてオペレータから拡大範囲の指定を受け付ける機能と、
当該指定が受け付けられた拡大範囲の大きさを検出する機能と、
前記検出された拡大範囲の大きさと所定の閾値との大小を比較する機能を、前記コンピュータにより実現し、
前記一部の範囲の画像を表示する機能では、前記比較結果に基づいて前記検出された拡大範囲の大きさが前記所定の閾値以下である場合或いは前記所定の閾値未満である場合に、前記表示された拡大範囲の指定対象となる画像のうちで前記拡大範囲の指定対象となる画像について指定が受け付けられた拡大範囲を含む一部の範囲の画像を表示する、
ことを特徴とするプログラム。
【請求項３】
請求項１又は請求項２に記載のプログラムにおいて、
前記一部の範囲の画像を表示する機能では、表示された一部の範囲の画像と比べて拡大して当該画像のうちで一部の範囲の画像を表示することを１回以上行い、
前記一部の範囲の画像について拡大範囲の指定を受け付ける機能では、前記一部の範囲の画像を表示する機能により最も拡大して表示された画像についてオペレータから拡大範囲の指定を受け付ける、
ことを特徴とするプログラム。
【請求項４】
請求項３に記載のプログラムにおいて、
前記拡大範囲の指定対象となる画像を表示する機能による画像表示及び前記一部の範囲の画像を表示する機能による画像表示について、これら両方の画像表示を同一の画面或いは同一の紙面で同時に行う、又は、これらの画像表示を切り替えることで同一の画面或いは同一の紙面ではいずれか一方のみの画像表示を行う、又は、表示出力する画像を切り替えることで同一の画面或いは同一の紙面では１つの画像のみを表示出力する、
ことを特徴とするプログラム。
【請求項５】
画像を表示する画像表示装置を構成するコンピュータに実行させるプログラムであって、
拡大範囲の指定対象となる画像を表示する機能と、
前記表示された画像についてオペレータから拡大範囲の指定を受け付ける機能と、
前記指定が受け付けられた拡大範囲の大きさを検出する機能と、
前記検出された拡大範囲の大きさと所定の閾値との大小を比較する機能と、
前記比較結果に基づいて前記検出された拡大範囲の大きさが前記所定の閾値以下である場合或いは前記所定の閾値未満である場合には他の場合と比べて異なる表示態様として、前記指定が受け付けられた拡大範囲を表す枠を前記表示された画像において表示する機能を、当該コンピュータにより実現する、
ことを特徴とするプログラム。
【発明の詳細な説明】
【技術分野】
【０００１】
本発明は、画像を表示する画像表示プログラムに関し、特に、画像中で拡大する位置を指定するための適切な画像を表示することで、画像の拡大設定を容易化した画像表示プログラムに関する。
【背景技術】
【０００２】
例えば、ＪＰＥＧやＢＭＰといった画像を表示することが可能なＧＵＩ（グラフィカル・ユーザ・インタフェース）を用いた画像表示装置が、広く用いられている。このような画像を表示する画像表示装置において、マウスやキーボードなどを用いて任意の画像を選択する機能や、画像を任意の大きさに拡大して表示する機能などが検討されている。
具体例として、まず、オペレータが画像を選択し、選択された画像の指定された範囲が画面（以下、主ウインドウとする）に拡大表示される。そして、前記拡大表示で拡大された範囲が選択された画像のいずれの部分であるかを示すために、選択された画像が縮小された全体画像が別画面（以下、副ウインドウとする）に表示されて、拡大された範囲が枠などにより上書き表示される。更に、副ウインドウに表示された全体画像において、マウスやキーボードなどの入力装置を用いて前記枠などの位置や大きさを変更することで、拡大する範囲の変更を行う。
【０００３】
図１２を参照して、上記のような操作方法の一例を示す。
図１２には、画像表示装置に表示される操作画面１６１の一例を示してある。
画像表示装置の操作画面１６１の全体に主ウインドウ１７１、右上に副ウインドウ１７２が表示されている。主ウインドウ１７１には、オペレータが選択した画像の拡大画像が表示されている。副ウインドウ１７２には、主ウインドウ１７１で表示した拡大画像が画像全体のどの範囲を拡大したかが分かるように、縮小した全体画像上に拡大範囲が拡大表示枠１７３で囲んで表示されている。
オペレータは、副ウインドウ１７２に表示されている拡大表示枠１７３をマウスを用いて移動したりサイズを変更することで、主ウインドウ１７１に表示する画像の拡大範囲を変更することが可能である。
【０００４】
【特許文献１】特開２０００−１０５８３５号公報
【特許文献２】特開２０００−１７５１７７号公報
【特許文献３】特開２００１−６０２６３号公報
【特許文献４】特開２００３−２１９４０２号公報
【発明の開示】
【発明が解決しようとする課題】
【０００５】
しかしながら、上記のような画像表示装置における画像表示方法では、以下のような問題があった。
すなわち、上記のような画像表示装置では、拡大画像を表示した時に全体画像において拡大範囲を示すために、副ウインドウ１７２上に縮小した全体画像を表示して拡大範囲を拡大表示枠１７３で上書き表示しており、当該拡大表示枠１７３で範囲の変更を行っている。このため、指定した拡大率が高い場合には拡大表示枠１７３が小さくなってしまうことから、オペレータが拡大する範囲を確認することや変更することなどの操作が非常に困難になるという問題があった。
【０００６】
図１３及び図１４を参照して、このような問題の具体例を示す。
図１３には、画像表示装置の操作画面１６１の一例を示してあり、また、拡大に使用するオリジナル画像１８１及びオリジナル画像１８１上における拡大範囲１８２を示してある。
操作画面１６１には、主ウインドウ１７１や、副ウインドウ１７２や、拡大表示枠１７３が設けられる。オリジナル画像１８１及びオリジナル画像１８１での拡大範囲１８２が縮小されて副ウインドウ１７２上に表示されている。
ここで、オリジナル画像１８１での拡大範囲１８２が比較的広いことからも分かるように、オペレータが拡大する拡大率を低く設定している場合には、拡大表示枠１７３はオペレータが操作可能な大きさで表示されているため、拡大する範囲の変更が容易に行える。
【０００７】
図１４には、画像表示装置の操作画面１６１の他の一例を示してあり、また、拡大に使用するオリジナル画像１９１及びオリジナル画像１９１上における拡大範囲１９２を示してある。
操作画面１６１には、主ウインドウ１７１や、副ウインドウ１７２や、拡大表示枠１７３が設けられる。オリジナル画像１９１及びオリジナル画像１９１での拡大範囲１９２が縮小されて副ウインドウ１７２上に表示されている。
しかし、副ウインドウ１７２上に表示されている拡大表示枠１７３は、確認することができない。これは、オリジナル画像１９１での拡大範囲１９２からも分かるように、オペレータが拡大する拡大率を高くして拡大する範囲を狭くすることによって、副ウインドウ１７２の拡大表示枠１７３が１画素で表示されるからである。この場合、オペレータが拡大する範囲を確認することや変更することは非常に困難である。
【０００８】
また、例えば、画素数が非常に多いオリジナル画像１９１を用いて拡大率を高く設定しても、副ウインドウ１７２上の縮小された全体画面で最小１画素までしか拡大の範囲が設定できずに、それ以上の拡大率で拡大の範囲を設定することができないことから、拡大に関する精度が悪くなってしまうという問題があった。
本発明は、このような従来の事情に鑑み為されたもので、例えば、画像中で拡大する位置を指定するための適切な画像を表示することで、画像の拡大設定を容易化することができる画像表示プログラムを提供することを目的とする。
【課題を解決するための手段】
【０００９】
上記目的を達成するため、本発明に係るプログラムでは、画像を表示する画像表示装置を構成するコンピュータに実行させるプログラムであって、拡大範囲の指定対象となる画像を表示する機能と、前記表示された画像と比べて拡大して当該画像のうちの一部の範囲の画像を表示する機能と、前記表示された一部の範囲の画像についてオペレータから拡大範囲の指定を受け付ける機能と、前記指定が受け付けられた拡大範囲の画像を前記表示された拡大範囲の指定対象となる画像と比べて拡大して表示する機能を、当該コンピュータにより実現する。
【００１０】
例えば、本発明に係る画像表示方法では、画像を表示するに際して、次のような処理を実行する。
すなわち、拡大範囲指定対象画像の表示処理では、拡大範囲の指定対象となる画像を表示する。一部範囲画像の表示処理では、前記拡大範囲指定対象画像の表示処理により表示された画像と比べて拡大して、当該画像のうちの一部の範囲の画像を表示する。一部範囲画像の拡大範囲の指定受付処理では、前記一部範囲画像の表示処理により表示された画像について、オペレータから、拡大範囲の指定を受け付ける。拡大範囲画像の表示処理では、前記一部範囲画像の拡大範囲の指定受付処理により指定が受け付けられた拡大範囲の画像を、前記拡大範囲指定対象画像の表示処理により表示された画像と比べて拡大して、表示する。
【００１１】
従って、拡大範囲の指定対象となる画像のうちで一部の範囲の画像が拡大して表示され、当該一部の範囲の画像を用いてオペレータにより拡大範囲が指定されるため、例えば、拡大範囲の指定対象となる画像のみを用いてオペレータにより拡大範囲が指定される場合と比べて、画像中で拡大する範囲（例えば、位置など）を指定するための適切な画像（前記一部の範囲の画像）を表示することで、拡大範囲の設定といった画像の拡大設定をオペレータにとって容易化することができる。
【００１２】
ここで、画像を表示する態様としては、種々な態様が用いられてもよく、例えば、コンピュータなどにより構成される画像表示装置の画面に画像を表示出力する態様や、或いは、プリンタにより紙面に画像を印刷して表示出力する態様などを用いることができる。
また、拡大範囲の指定対象となる画像としては、種々な画像が用いられてもよく、例えば、カメラにより撮像されて取得された画像データの画像や、外部から入力された画像データの画像や、メモリなどに記憶された画像データの画像などを用いることができる。
また、拡大範囲の指定対象となる画像のうちの一部の範囲の画像としては、種々な範囲の画像が用いられてもよい。
また、拡大範囲の指定対象となる画像と比べて拡大して一部の範囲の画像を表示する場合における拡大率としては、種々な拡大率が用いられてもよく、例えば、一定の拡大率が用いられる。
【００１３】
また、オペレータとしては、種々なものであってもよく、例えば、画像表示のプログラムによる画像表示方法を実現する装置を操作する人などが用いられる。
また、拡大範囲の指定としては、種々なものが指定されてもよく、例えば、拡大する位置や、大きさや、拡大率や、範囲などのうちの１つ以上を指定する態様を用いることができる。
また、拡大範囲の指定対象となる画像と比べて拡大して拡大範囲の画像を表示する場合における拡大率としては、種々な拡大率が用いられてもよく、例えば、拡大範囲の指定対象となる画像のうちの一部の範囲の画像の拡大率と比べて高い拡大率が用いられる、つまり、当該一部の範囲の画像における拡大範囲の画像と比べて大きく拡大して表示する態様が用いられる。
【００１４】
本発明に係るプログラムでは、一構成例として、前記表示された拡大範囲の指定対象となる画像についてオペレータから拡大範囲の指定を受け付ける機能と、当該指定が受け付けられた拡大範囲の大きさを検出する機能と、前記検出された拡大範囲の大きさと所定の閾値との大小を比較する機能を、前記コンピュータにより実現する。また、前記一部の範囲の画像を表示する機能では、前記比較結果に基づいて前記検出された拡大範囲の大きさが前記所定の閾値以下である場合或いは前記所定の閾値未満である場合に、前記表示された拡大範囲の指定対象となる画像のうちで前記拡大範囲の指定対象となる画像について指定が受け付けられた拡大範囲を含む一部の範囲の画像を表示する。
【００１５】
例えば、本発明に係る画像表示方法では、次のような処理を実行する。
すなわち、拡大範囲指定対象画像の拡大範囲の指定受付処理では、前記拡大範囲指定対象画像の表示処理により表示された画像について、オペレータから、拡大範囲の指定を受け付ける。拡大範囲大きさの検出処理では、前記拡大範囲指定対象画像の拡大範囲の指定受付処理により指定が受け付けられた拡大範囲の大きさを検出する。拡大範囲大きさの閾値比較処理では、前記拡大範囲大きさの検出処理により検出された拡大範囲の大きさと所定の閾値との大小を比較する。そして、前記一部範囲画像の表示処理では、前記拡大範囲大きさの閾値比較処理による比較結果に基づいて、前記拡大範囲大きさの検出処理により検出された拡大範囲の大きさが前記所定の閾値以下である場合（或いは、前記所定の閾値未満である場合）に、前記拡大範囲指定対象画像の表示処理により表示された画像のうちで前記拡大範囲指定対象画像の拡大範囲の指定受付処理により指定が受け付けられた拡大範囲を含む一部の範囲の画像を表示する。
【００１６】
従って、拡大範囲の指定対象となる画像を用いてオペレータにより拡大範囲が指定された場合に、当該拡大範囲の大きさが比較的小さい場合には当該拡大範囲を含む一部の範囲の画像が拡大して表示されて、当該一部の範囲の画像を用いてオペレータにより更に細かく拡大する範囲が指定されることが可能となり、一方、当該拡大範囲の大きさが比較的大きい場合にはこのような一部の範囲の画像が表示されないため、必要に応じて一部の範囲の画像を拡大して表示して、オペレータによる操作を利便性よくすることができる。
【００１７】
ここで、拡大範囲の大きさを検出して、拡大範囲の大きさが大きさに関する所定の閾値以下であること（或いは、大きさに関する所定の閾値未満であること）を判定する態様としては、例えば、拡大範囲の大きさが小さくなるほど拡大範囲の拡大率が大きくなる構成では、拡大範囲の拡大率を検出して、拡大範囲の拡大率が拡大率に関する所定の閾値以上であること（或いは、拡大率に関する所定の閾値を超えること）を判定する態様が用いられてもよい。
また、拡大範囲の拡大率を検出する態様としては、種々な態様が用いられてもよく、例えば、オペレータにより指定される拡大率を検出する態様や、或いは、オペレータにより直接的には拡大率が指定されない場合に、他の指定内容に基づいて拡大率を計算して検出する態様などを用いることができる。
【００１８】
また、拡大範囲の拡大率に関する所定の閾値としては、種々な値が用いられてもよく、例えば、拡大範囲の指定対象となる画像のうちの一部の範囲の画像を拡大して表示する場合における拡大率と同じ値を用いることができる。
また、拡大範囲の指定対象となる画像のうちの拡大範囲を含む一部の範囲の画像としては、種々な範囲の画像が用いられてもよく、例えば、拡大範囲と比べて上下左右に所定の大きさだけ大きい範囲の画像を用いることができる。
【００１９】
本発明に係るプログラムでは、一構成例として、前記一部の範囲の画像を表示する機能では、表示された一部の範囲の画像と比べて拡大して当該画像のうちで一部の範囲の画像を表示することを１回以上行い、前記一部の範囲の画像について拡大範囲の指定を受け付ける機能では、前記一部の範囲の画像を表示する機能により最も拡大して表示された画像についてオペレータから拡大範囲の指定を受け付ける。
【００２０】
例えば、本発明に係る画像表示方法では、次のような処理を実行する。
すなわち、前記一部範囲画像の表示処理では、表示された一部の範囲の画像と比べて拡大して当該画像のうちで一部の範囲の画像を表示することを１回以上行う。また、前記一部範囲画像の拡大範囲の指定受付処理では、前記一部範囲画像の表示処理により最も拡大して表示された画像について、オペレータから、拡大範囲の指定を受け付ける。
【００２１】
従って、拡大範囲の指定対象となる画像を元として、一部の範囲の画像を拡大して表示することが２回以上行われ（初めの１回を除くと、１回以上行われ）、最も拡大して表示された画像（最後の回に表示された画像）を用いてオペレータにより最終的な拡大範囲が指定されるため、オペレータにとって拡大範囲の指定を視覚的に容易化することができる。
【００２２】
ここで、或る画像に対して一部の範囲の画像を拡大して表示することを順次行う回数としては、種々な回数が用いられてもよい。
また、一部の範囲の画像に対して更に一部の範囲の画像を拡大して表示することを行うか否かは、例えば、拡大範囲の指定対象となる画像に対して一部の範囲の画像を拡大して表示するか否かを判定する手法と同様な手法を用いて、判定することができる。
【００２３】
本発明に係るプログラムでは、一構成例として、前記拡大範囲の指定対象となる画像を表示する機能による画像表示及び前記一部の範囲の画像を表示する機能による画像表示について、これら両方の画像表示を同一の画面或いは同一の紙面で同時に行う、又は、これらの画像表示を切り替えることで同一の画面或いは同一の紙面ではいずれか一方のみの画像表示を行う、又は、表示出力する画像を切り替えることで同一の画面或いは同一の紙面では１つの画像のみを表示出力する。
【００２４】
例えば、本発明に係る画像表示方法では、前記拡大範囲指定対象画像の表示処理による画像表示及び前記一部範囲画像の表示処理による画像表示について、次のような処理を実行する。
すなわち、一例として、これら両方の画像表示を同一の画面或いは同一の紙面で同時に行う。この場合、例えば、拡大範囲の指定対象となる画像や、１つ以上の一部の範囲の画像が、同一の画面或いは同一の紙面に、同時に表示される。
他の一例として、これらの画像表示を切り替えることで、同一の画面或いは同一の紙面では、いずれか一方のみの画像表示を行う。この場合、例えば、拡大範囲の指定対象となる画像と一部の範囲の画像とは互いに切り替えられて表示され、同一の画面或いは同一の紙面に同時には表示されない。
【００２５】
他の一例として、表示出力する画像を切り替えることで、同一の画面或いは同一の紙面では、１つの画像のみを表示出力する。この場合、例えば、拡大範囲の指定対象となる画像と一部の範囲の画像とは互いに切り替えられて表示され、更に、一部の範囲の画像が２つ以上ある場合にはそれぞれが切り替えられて表示され、いずれの画像についても同一の画面或いは同一の紙面に同時には表示されない。
従って、拡大範囲指定対象画像の表示処理による画像表示及び一部範囲画像の表示処理による画像表示について、種々な態様の中で適した態様を用いることにより、オペレータの使い勝手を向上させることが可能である。
【００２６】
本発明に係るプログラムでは、画像を表示する画像表示装置を構成するコンピュータに実行させるプログラムであって、拡大範囲の指定対象となる画像を表示する機能と、前記表示された画像についてオペレータから拡大範囲の指定を受け付ける機能と、前記指定が受け付けられた拡大範囲の大きさを検出する機能と、前記検出された拡大範囲の大きさと所定の閾値との大小を比較する機能と、前記比較結果に基づいて前記検出された拡大範囲の大きさが前記所定の閾値以下である場合或いは前記所定の閾値未満である場合には他の場合と比べて異なる表示態様として、前記指定が受け付けられた拡大範囲を表す枠を前記表示された画像において表示する機能を、当該コンピュータにより実現する。
【００２７】
例えば、本発明に係る画像表示方法では、画像を表示するに際して、次のような処理を実行する。
すなわち、画像表示処理では、拡大範囲の指定対象となる画像を表示する。拡大範囲の指定受付処理では、前記画像表示処理により表示された画像について、オペレータから、拡大範囲の指定を受け付ける。拡大範囲大きさの検出処理では、前記拡大範囲の指定受付処理により指定が受け付けられた拡大範囲の大きさを検出する。拡大範囲大きさの閾値比較処理では、前記拡大範囲大きさの検出処理により検出された拡大範囲の大きさと所定の閾値との大小を比較する。拡大範囲枠の表示処理では、前記拡大範囲大きさの閾値比較処理による比較結果に基づいて、前記拡大範囲大きさの検出処理により検出された拡大範囲の大きさが前記所定の閾値以下である場合（或いは、前記所定の閾値未満である場合）には他の場合と比べて異なる表示態様として、前記拡大範囲の指定受付処理により指定が受け付けられた拡大範囲を表す枠を、前記画像表示処理により表示された画像において、表示する。
【００２８】
従って、拡大範囲の指定対象となる画像において、オペレータにより指定された拡大範囲の大きさが比較的大きい場合には例えば通常の表示態様により拡大範囲を表す枠が表示され、一方、オペレータにより指定された拡大範囲の大きさが比較的小さい場合には例えば視覚的に見易くする表示態様により拡大範囲を表す枠が表示されるため、拡大範囲の大きさが小さい場合においても、オペレータにとって拡大範囲を表す枠を見易くすることができる。これにより、拡大範囲の設定といった画像の拡大設定をオペレータにとって容易化することができる。
【００２９】
ここで、拡大範囲の指定対象となる画像としては、種々な画像が用いられてもよく、例えば、或る画像のうちの一部の範囲の画像が拡大されて表示された画像が用いられてもよい。
また、例えば、或る画像（第１の画像）について、所定の範囲の画像（第２の画像）を拡大表示するに際して、当該或る画像（第１の画像）のうちの一部の範囲の画像（第３の画像）を拡大表示してその中から所定の範囲の画像（第３の画像）を指定するような構成では、第１の画像から第２の画像を指定するための枠や、第１の画像から第３の画像を指定するための枠や、第３の画像から第２の画像を指定するための枠に、枠が小さい場合に視覚的に見易くする態様を適用することができる。また、例えば、一部の範囲の画像（第４の画像）のうちの更に一部の範囲の画像（第５の画像）を拡大表示する構成では、第４の画像から第５の画像を指定するための枠に、枠が小さい場合に視覚的に見易くする態様を適用することができる。
【００３０】
また、拡大範囲の大きさを検出する態様としては、種々な態様が用いられてもよく、例えば、オペレータにより指定される大きさを検出する態様や、或いは、オペレータにより直接的には大きさが指定されない場合に、他の指定内容に基づいて大きさを計算して検出する態様などを用いることができる。
また、拡大範囲の大きさを検出して、拡大範囲の大きさが大きさに関する所定の閾値以下であること（或いは、大きさに関する所定の閾値未満であること）を判定する態様としては、例えば、拡大範囲の大きさが小さくなるほど拡大率が大きくなる構成では、拡大範囲の拡大率を検出して、拡大範囲の拡大率が拡大率に関する所定の閾値以上であること（或いは、拡大率に関する所定の閾値を超えること）を判定する態様が用いられてもよい。
また、拡大範囲の大きさに関する所定の閾値としては、種々な値が用いられてもよい。
【００３１】
また、拡大範囲の大きさが所定の閾値以下である場合（或いは、所定の閾値未満である場合）における拡大範囲を表す枠の表示態様と、他の場合における拡大範囲を表す枠の表示態様としては、それぞれ、種々な態様が用いられてもよく、例えば、点灯／点滅や色の違いなどを使用することができ、具体例として、当該他の場合には、通常の表示態様として、点灯表示或いは黒色表示などを行い、拡大範囲の大きさが所定の閾値以下である場合（或いは、所定の閾値未満である場合）には、視覚的に見易くする表示態様として、点滅表示或いは赤色表示などを行うことが可能である。
【発明の効果】
【００３２】
以上説明したように、本発明によると、拡大範囲の指定対象となる画像を表示し、当該表示した画像と比べて拡大して当該画像のうちの一部の範囲の画像を表示し、当該表示した画像についてオペレータから拡大範囲の指定を受け付け、当該指定を受け付けた拡大範囲の画像を前記拡大範囲の指定対象となる画像と比べて拡大して表示するようにしたため、拡大範囲の設定をオペレータにとって視覚的に容易化することができる。
また、本発明によると、拡大範囲の指定対象となる画像を表示し、当該表示した画像についてオペレータから拡大範囲の指定を受け付け、当該指定を受け付けた拡大範囲の大きさを検出し、当該検出した拡大範囲の大きさと所定の閾値との大小を比較し、当該比較結果に基づいて前記検出した拡大範囲の大きさが前記所定の閾値以下である場合（或いは、前記所定の閾値未満である場合）には他の場合と比べて異なる表示態様として例えば目立つようにして、前記指定を受け付けた拡大範囲を表す枠を前記表示した画像に表示するようにしたため、例えば、拡大範囲の大きさが小さい場合においても、オペレータにとって拡大範囲を表す枠を視覚的に見易くすることができ、これにより、拡大範囲の設定といった画像の拡大設定をオペレータにとって容易化することができる。
【発明を実施するための最良の形態】
【００３３】
本発明に係る実施例を図面を参照して説明する。
図１には、本発明の一実施例に係る画像表示方法の処理を実行する画像表示装置のハードウエアの構成例を示してある。
本例の画像表示装置は、パーソナルコンピュータ（ＰＣ）などを利用した構成を有しており、例えばデータを記憶するＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などのメモリ１と、例えばデータを記憶するハードディスクなどの記憶装置２と、画像のデータを仲介するビデオインタフェース３と、各種の処理や制御を行うＣＰＵ（Ｃｅｎｔｒａｌ  Ｐｒｏｃｅｓｓｉｎｇ  Ｕｎｉｔ）４と、入力データを仲介する入力インタフェース５と、データを伝送（転送）するバス６と、画像のデータを表示出力するモニタ７と、データを入力するキーボード等からなる入力機器８と、データを入力するマウス等からなるポインティングデバイス９を備えている。
【００３４】
メモリ１と、記憶装置２と、ビデオインタフェース３と、ＣＰＵ４と、入力インタフェース５は、バス６を介して接続されている。
モニタ７は、ビデオインタフェース３を介して、バス６と接続されている。
入力機器８やポインティングデバイス９は、入力インタフェース５を介して、バス６と接続されている。
なお、本例の画像表示装置では、例えば、カメラにより撮像されてメモリ１や記憶装置２に記憶された画像のデータが読み出されて処理されてもよく、或いは、ネットワークやリムーバルメディアなどの外部装置から画像のデータが取得されて処理されてもよい。
【００３５】
ここで、画像の拡大・縮小方法について説明する。
画像の拡大・縮小方法としては、アフィン変換と呼ばれる方法が従来より広く使用されている。アフィン変換は式１で表され、或る画素（ｘ１、ｙ１）が変換操作によって画素（ｘ２、ｙ２）へ変換されることを意味している。
また、拡大や縮小は、式２のような条件で実現される。ここで、Ｓｘ、Ｓｙはそれぞれｘ方向、ｙ方向の拡大率を表しており、Ｓｘ又はＳｙが１．０以上である場合には拡大となり、１．０未満である場合には縮小となる。
【００３６】
【数１】
2006121551.tif 000003
【００３７】
【数２】
2006121551.tif 000004
【００３８】
本例の画像表示装置により行われる動作の例として、部分画像の拡大に関する処理について説明する。
本例の画像表示装置では、画像の表示やオペレータ（操作者）による操作を処理する。
図２には、本例の画像表示装置の操作画面１１の一例を示している。
操作画面１１は、本例では、モニタ７のディスプレイに表示され、１つの高精細画像全体表示部２１と、３つの高精細画像拡大表示部２２ａ、２２ｂ、２２ｃとからなり、その他に、３つの拡大表示選択ボタン３２ａ、３２ｂ、３２ｃと、４つの拡大表示位置移動ボタン３３ａ、３３ｂ、３３ｃ、３３ｄと、１つの拡大率変更ボタン３４と、１つのファイル選択ボタン３５を有している。
【００３９】
オペレータによりファイル選択ボタン３５をクリックして（例えば、マウスの左ボタンを押して放す操作を行って）表示されるファイル選択ダイアログから選択された画像が、高精細画像全体表示部２１に表示される。また、高精細画像全体表示部２１上で設定した拡大する位置及び拡大率に基づいて本例では３つの表示枠３１ａ、３１ｂ、３１ｃが表示され、それぞれの表示枠３１ａ、３１ｂ、３１ｃで示される部分画像がそれぞれの高精細画像拡大表示部２２ａ、２２ｂ、２２ｃに拡大表示される。
なお、本例では、表示枠３１ａと拡大表示選択ボタン３２ａと高精細画像拡大表示部２２ａとが対応しており、表示枠３１ｂと拡大表示選択ボタン３２ｂと高精細画像拡大表示部２２ｂとが対応しており、表示枠３１ｃと拡大表示選択ボタン３２ｃと高精細画像拡大表示部２２ｃとが対応している。
【００４０】
本例では、高精細画像を表示するディスプレイ部分の画素数よりも画素数が多い高精細画像を使用する場合には、画素の間引きなどによって縮小した全体画像を高精細画像全体表示部２１に表示する。高精細画像は、元々、画質の低い標準画像と比べて、精細度及び画質、画素数、１画素当たりの階調数、圧縮率などが優れているため、高い拡大率を設定して高精細画像拡大表示部２２ａ、２２ｂ、２２ｃに拡大表示した場合においても、標準画像より精細な画像を表示することが可能である。
【００４１】
次に、高精細画像拡大表示部２２ａ、２２ｂ、２２ｃに拡大表示する部分画像の位置の変更方法について説明する。
まず、例えば、拡大表示選択ボタン３２ａ、３２ｂ、３２ｃの中から１つのボタンをクリックして選択することにより、拡大表示する部分画像の位置を示す表示枠３１ａ、３１ｂ、３１ｃの中で選択されたボタンに対応したものが有効になる。
【００４２】
以下のオペレータによる操作は、有効になった表示枠３１ａ、３１ｂ、３１ｃに対して行われ、有効になった表示枠３１ａ、３１ｂ、３１ｃは、例えば、表示枠３１ａ、３１ｂ、３１ｃの色を有効になっていないものに対して変えることで、有効になっていない表示枠３１ａ、３１ｂ、３１ｃと視覚的に区別できるようになっている。
一例として、拡大表示選択ボタン３２ａをクリックすると対応する表示枠３１ａが赤色となり、表示枠３１ａについてオペレータによる操作が可能な状態となる。この時、選択されていない黒色の表示枠３１ｂ、３１ｃについてはオペレータによる操作ができない。また、拡大表示選択ボタン３２ａが選択されている状態で再度拡大表示選択ボタン３２ａをクリックした場合及び他の拡大表示選択ボタン３１ｂ、３１ｃをクリックした場合には、表示枠３１ａの有効状態が解除されて、当該表示枠３１ａが黒色となりオペレータによる操作ができなくなる。
【００４３】
表示枠３１ａ、３１ｂ、３１ｃの移動は、拡大表示位置移動ボタン３３ａ、３３ｂ、３３ｃ、３３ｄで行う。拡大表示位置移動ボタン３３ａ、３３ｂ、３３ｃ、３３ｄをクリックすると、拡大表示位置移動ボタン３３ａで上方向へ、拡大表示位置移動ボタン３３ｂで下方向へ、拡大表示位置移動ボタン３３ｃで左方向へ、拡大表示位置移動ボタン３３ｄで右方向へ、選択されている表示枠３１ａ、３１ｂ、３１ｃが１ドット分移動し、拡大表示位置移動ボタン３３ａ、３３ｂ、３３ｃ、３３ｄを押し続けている場合には連続的に移動する。
また、拡大表示位置移動ボタンとしては、例えば、キーボードに設けられた上下左右のキーと連動するように構成することもできる。
表示枠３１ａ、３１ｂ、３１ｃを移動すると、対応する高精細画像拡大表示部２２ａ、２２ｂ、２２ｃの部分画像が更新される。
【００４４】
次に、高精細画像拡大表示部２２ａ、２２ｂ、２２ｃに表示された部分画像の位置の微調整について説明する。
高精細画像拡大表示部２２ａ、２２ｂ、２２ｃのいずれかをクリックして選択すると、選択された高精細画像拡大表示部２２ａ、２２ｂ、２２ｃに表示する部分画像の位置の微調整を行うことが可能（有効）な状態となる。
例えば、高精細画像拡大表示部２２ａの任意の場所をクリックすると、高精細画像拡大表示部２２ａの外枠が赤く縁取られて位置の微調整が可能な状態となる。この時、他の高精細画像拡大表示部２２ｂ、２２ｃの位置の微調整はできない状態となり、また、拡大表示選択ボタン３２ａ、３２ｂ、３２ｃのいずれかが選択されている場合にはそれが自動的に解除される。
【００４５】
また、高精細画像拡大表示部２２ａが選択されている状態で、高精細画像拡大表示部２２ａ及び拡大表示選択ボタン３２ａ以外の場所をクリックした場合には、選択状態が解除されて高精細画像拡大表示部２２ａの外枠の縁取りが消去されて位置の微調整が不可能となる。
位置の微調整は、拡大表示位置移動ボタン３３ａ、３３ｂ、３３ｃ、３３ｄで行う。拡大表示位置移動ボタン３３ａ、３３ｂ、３３ｃ、３３ｄをクリックすると、拡大表示位置移動ボタン３３ａで上方向へ、拡大表示位置移動ボタン３３ｂで下方向へ、拡大表示位置移動ボタン３３ｃで左方向へ、拡大表示位置移動ボタン３３ｄで右方向へ、画像が１ドット分移動し、拡大表示位置移動ボタン３３ａ、３３ｂ、３３ｃ、３３ｄを押し続けている場合には連続的に移動する。
【００４６】
他の構成例として、図2に示されるような部分画像の位置を変更するための４方向の拡大表示位置移動ボタン３３ａ、３３ｂ、３３ｃ、３３ｄの代わりに、図３に示されるような拡大表示位置移動ボタン４１のように８方向のボタンを設けることにより、斜め方向への表示枠３１ａ、３１ｂ、３１ｃなどの移動を可能とすることもできる。
また、他の構成例として、図２や図３に示されるような拡大表示位置移動ボタンを設けずに、高精細画像全体表示部２１内又は高精細画像拡大表示部２２ａ、２２ｂ、２２ｃ内をマウスでクリックすると、クリックした位置を高精細画像全体表示部２１で表示し、クリックした位置が中心になるように高精細画像表示拡大部２２ａ、２２ｂ、２２ｃの画像を更新するような構成とすることもできる。
また、他の構成例として、マウスをドラッグする（例えば、マウスの左ボタンを押した状態でマウスを動かす動作を行う）と、マウスの動きに応じて、高精細画像の内で拡大表示する部分画像の位置を連続的に移動するような構成とすることもできる。
【００４７】
次に、拡大表示する部分画像の拡大率を変更する方法について説明する。
拡大率の変更は、図２に示される拡大率変更ボタン３４で行う。いずれかの表示枠３１ａ、３１ｂ、３１ｃ或いはいずれかの高精細画像拡大表示部２２ａ、２２ｂ、２２ｃが選択されている場合に、選択されている画像の拡大率の変更が可能になる。
拡大率変更ボタン３４の右側にある逆三角ボタンをクリックすると、拡大率の一覧が表示され、この一覧から拡大率を選択して変更を行うことができる。図４には、拡大率変更ボタン５１（図２の拡大率変更ボタン３４に相当するボタン）がクリックされたときに表示される拡大率の一覧の一例を示してある。
拡大率変更ボタン３４で拡大率を変更した場合には、画像の中心点をそのままにして選択されている画像の表示枠３１ａ、３１ｂ、３１ｃの大きさ（サイズ）及び高精細画像拡大表示部２２ａ、２２ｂ、２２ｃに表示される高精細画像の部分画像の範囲が変更される。
なお、本例では、高精細画像拡大表示部２２ａ、２２ｂ、２２ｃのフレームのサイズが一定である場合には、表示枠３１ａ、３１ｂ、３１ｃのサイズと拡大率との組み合わせが一意に決まる。
【００４８】
他の構成例として、次のようにして、拡大表示する部分画像の拡大率を変更することもできる。
すなわち、表示枠３１ａ、３１ｂ、３１ｃのいずれかが選択されており、高精細画像全体表示部２１内でマウスを右クリックした時に、又は、高精細画像拡大表示部２２ａ、２２ｂ、２２ｃのいずれかが選択されており、選択されている高精細画像拡大表示部２２ａ、２２ｂ、２２ｃ内でマウスを右クリックした時に、図５に示されるような拡大率変更ポップアップメニュー６１が表示される。拡大率変更ポップアップメニュー６１には予め用意された全ての拡大率が表示され、ポインタ６２により１つの拡大率を選択することによって、選択された拡大率に応じて表示枠３１ａ、３１ｂ、３１ｃ及び部分画像の範囲が更新され、部分画像が高精細画像拡大表示部２２ａ、２２ｂ、２２ｃに拡大表示される。
【００４９】
また、他の構成例として、次のようにして、拡大表示する部分画像の拡大率を変更することもできる。
すなわち、表示枠３１ａ、３１ｂ、３１ｃのいずれかが選択されており、高精細画像全体表示部２１内でマウスのホイールを回転した時に、又は、高精細画像拡大表示部２２ａ、２２ｂ、２２ｃのいずれかが選択されており、選択されている高精細画像拡大表示部２２ａ、２２ｂ、２２ｃ内でマウスのホイールを回転した時に、拡大率が変更される。この場合、予め複数の拡大率が用意されており、前にホイールを回転した時には現在の拡大率より１段階大きい拡大率の表示枠３１ａ、３１ｂ、３１ｃ及び部分画像の範囲が更新され、後ろにホイールを回転した時には現在の拡大率より１段階小さい拡大率の表示枠３１ａ、３１ｂ、３１ｃ及び部分画像の範囲が更新され、そして、部分画像が高精細画像拡大表示部２２ａ、２２ｂ、２２ｃに拡大表示される。
【００５０】
なお、前記のように予め複数の拡大率を用意する方法の他に、ホイールの回転量に応じて拡大率を変更するようなこともできる。この場合、ホイールの最低回転角度（例えば、１５度）を１ステップとし、１ステップにつき５パーセント（％）の拡大率の変更を行うようにする。例えば、ホイールを前に６ステップ（９０度）回転した場合には、拡大率を３０パーセント（％）増す。また、ホイールを後ろに１０ステップ（１５０度）回転した場合には、拡大率を５０パーセント（％）減らす。
【００５１】
また、表示枠３１ａ、３１ｂ、３１ｃの大きさとしては、前記のように種々な手法により指定された拡大率に応じて変更するほか、枠自体をマウスでドラッグアンドドロップにより変更するようなこともできる。この場合には、変更後の枠の大きさから拡大率を決定する。例えば、予め複数の拡大率の値を用意してオペレータにより拡大率の値を選択させる方法のほかに、各表示枠３１ａ、３１ｂ、３１ｃの大きさをマウスのドラッグにより広げたり縮めたりするなどして変更できるようにし、各表示枠３１ａ、３１ｂ、３１ｃの大きさの変更に応じて拡大率の値を変更するような構成とすることもできる。
【００５２】
次に、拡大表示する部分画像の表示位置を示す表示枠３１ａ、３１ｂ、３１ｃの表示方法について説明する。
本例の表示枠３１ａ、３１ｂ、３１ｃでは、ある一定の拡大率よりも高い拡大率に変更することによって枠が一定以下の大きさになった場合には、表示枠３１ａ、３１ｂ、３１ｃの枠線がそれぞれ点滅して表示される。例えば、変更された拡大率と設定された所定の拡大率との大小関係を比較した結果に基づいて、枠線を点滅表示させる処理が行われる。
高精細画像全体表示部２１には、縮小された高精細静止画像上に拡大表示する部分画像の位置を示す表示枠３１ａ、３１ｂ、３１ｃが表示されている。この時、例えば、ある一定の拡大率よりも低い拡大率が選択されている拡大画像の表示枠３１ａの枠線は点灯して表示され、ある一定の拡大率よりも高い拡大率が選択されている拡大画像の表示枠３１ｂ、３１ｃの枠線は点滅して表示される。このように、拡大率を高くしたことにより小さく表示される表示枠３１ｂ、３１ｃについても、表示枠３１ｂ、３１ｃが点滅表示されることよって明示的になり、オペレータはこの点滅した表示枠３１ｂ、３１ｃを操作して、拡大する位置を確認及び変更することが可能である。
【００５３】
他の構成例として、前記のように枠の大きさに応じて枠線を点滅させる方法の他に、拡大表示選択ボタン３２ａ、３２ｂ、３２ｃにより選択されて拡大位置の変更が有効となっている表示枠３１ａ、３１ｂ、３１ｃを点滅して表示することにより、現在において拡大設定が有効な表示枠３１ａ、３１ｂ、３１ｃにより拡大する位置を明示的にするようなこともできる。
【００５４】
次に、拡大表示する部分画像の位置を示す表示枠３１ａ、３１ｂ、３１ｃの別の表示方法と、それに伴う部分画像の位置の変更方法について説明する。
図６には、本例の画像表示装置の操作画面１１の他の一例を示してある。
なお、図６では、図２に示されるのと同様な部分については同一の符号を付して示してある。また、図６に示される表示枠（中間枠）７１ａは、図２に示される表示枠３１ｂと同様なものである。
【００５５】
本例の表示枠３１ａ、３１ｂ、３１ｃでは、ある一定の拡大率よりも高い拡大率に変更されたことによって一定以下の大きさの枠（本例では、詳細枠と言う）になった場合には、詳細枠は表示されず、ある一定の拡大率に基づいた大きさの枠（本例では、中間枠と言う）が表示される。
図６の例では、表示枠３１ｂに関して中間枠７１ａが表示されており、説明の便宜上から、その詳細枠７１ｂを点線で示してある。本例の高精細画像全体表示部２１では、詳細枠７１ｂについては表示されない。なお、詳細枠７１ｂを表示する態様が用いられてもよい。
【００５６】
中間枠７１ａが表示された時には、拡大設定サブウインドウ７２が新たに操作画面１１に表示される。例えば、変更された拡大率と設定された所定の拡大率との大小関係を比較した結果に基づいて、拡大設定サブウインドウ７２を表示する処理が行われる。
拡大設定サブウインドウ７２には、拡大表示選択ボタン３２ａ、３２ｂ、３２ｃにより選択されて有効になっている表示枠３１ａ、３１ｂ、３１ｃについて拡大率の変更によって中間枠７１ａが表示された時に、中間枠７１ａの枠内の画像が拡大表示される。
図６の例では、拡大表示選択ボタン３２ｂが選択されていることから、拡大設定サブウインドウ７２には、中間枠７１ａの枠内の画像７４が拡大表示され、詳細枠７１ｂと同じ位置に表示枠（詳細枠に対応した表示枠）７３が表示される。
拡大設定サブウインドウ７２に表示される部分画像は高精細画像全体表示部２１で表示されている画像の一部を拡大したものであるため、拡大設定サブウインドウ７２の画像上に表示される表示枠７３は、高精細画像全体表示部２１で表示されるとした場合における表示枠（詳細枠７１ｂ）と比較して大きく表示される。
【００５７】
そして、オペレータは、拡大設定サブウインドウ７２を用いて画像の拡大位置及び拡大率の設定を行うことが可能である。拡大設定や拡大する操作については、前記した高精細画像全体表示部２１を用いて行われる操作と同様である。
拡大設定サブウインドウ７２は、該当する表示枠３１ａ、３１ｂ、３１ｃについて、ある一定の拡大率よりも低い拡大率に変更された場合に、及び、該当する表示枠３１ａ、３１ｂ、３１ｃが無効になった場合に、操作画面１１から消去される。
【００５８】
また、例えば、拡大する元の高精細静止画像の画素数に応じて、中間枠を表示した拡大設定サブウインドウを複数表示することで、適切なサイズの画像における拡大の位置指定が可能となる。一例として、高精細画像全体表示部２１に表示される中間枠７１ａの画像を拡大して拡大設定サブウインドウ７２に表示するとともに当該拡大設定サブウインドウ７２内に別の中間枠を表示し、当該別の中間枠の画像を拡大して別の拡大設定サブウインドウに表示することや、同様に、ある画像部分について更に多数の拡大設定サブウインドウを順次使用して拡大していくことが可能である。
【００５９】
このように、拡大率を高くすると小さく表示される表示枠３１ａ、３１ｂ、３１ｃについて、設定した拡大率の高さによって拡大設定のための画面（拡大設定サブウインドウ７２）を１つ又は複数表示することより、オペレータは１つ又は複数の画面（拡大設定サブウインドウ）上に表示されたある一定以上の大きさの表示枠を操作することで拡大する位置及び拡大率を容易に変更することが可能である。
【００６０】
次に、図７及び図８を参照して、元データの画像（本例では、非常に高精細な画像）や、高精細画像全体表示部２１に表示される全体表示用の間引き画像や、拡大設定サブウインドウ７２に表示される画像や、高精細画像拡大表示部２２ａ、２２ｂ、２２ｃに表示される画像の関係について、画素数や拡大率（何を基準にしているのか等）と関連して、説明する。
まず、図７を参照して、ファイル選択ボタン３５により選択される画像（元データの画像）と、高精細画像全体表示部２１に表示される画像と、高精細画像拡大表示部２２ａ、２２ｂ、２２ｃに表示される画像との関係を説明する。
【００６１】
図７には、本例の画像表示装置の操作画面１１における、ファイル選択ボタン３５により選択される画像（元データの画像であり、元画像と言う）８１と、高精細画像全体表示部２１に表示される画像（全体画像と言う）８２と、高精細画像拡大表示部２２ａ、２２ｂ、２２ｃに表示される画像（拡大画像と言う）８３との関係を示してある。この例では、高精細画像全体表示部２１に表示される画像８２を４倍に拡大して高精細画像拡大表示部２２ｂに表示する場合を示す。なお、本例の操作画面１１では、３つの高精細画像拡大表示部２２ａ、２２ｂ、２２ｃを有しているが、説明を簡単にするために、その１つである高精細画像拡大表示部２２ｂに表示される画像のみについて説明する。
【００６２】
ファイル選択ボタン３５により選択される元画像８１は、例えば、幅５１２０画素、高さ３８４０画素の画像である。高精細画像全体表示部２１に表示される全体画像８２は、例えば、幅６４０画素、高さ４８０画素の画像である。高精細画像拡大表示部２２ｂに表示される拡大画像８３は、例えば、幅３２０画素、高さ２４０画素の画像である。
元画像８１は、全体画像８２より画像サイズが大きいため、そのままでは全体画像８２として高精細画像全体表示部２１に表示することができない。そこで、式１により示されるアフィン変換（Ｓｘ＝６４０／５１２０＝０．１２５、Ｓｙ＝４８０／３８４０＝０．１２５）を行うことにより、元画像８１を縮小して全体画像８２を得る。
【００６３】
次に、各種のオペレータ操作によって指定された拡大率（本例では、４倍）と、指定された位置（ｃｘ、ｃｙ）によって、表示枠９２（図２における表示枠３１ｂに相当するもの）が決定される。ここで、高精細画像拡大表示部２２ｂに表示する拡大画像８３は幅３２０画素、高さ２４０画素であるため、拡大率４倍で表示するためには、拡大枠９２の大きさは幅８０（＝３２０／４）画素、高さ６０（＝２４０／４）画素になる。従って、表示枠９２は、全体画像８２上で（ｃｘ−４０、ｃｙ−３０）〜（ｃｘ＋４０、ｃｙ＋３０）の長方形の領域となる。
【００６４】
次に、表示枠９２に基づいて、拡大画像８３を元画像８１から作成する。
全体画像８２は、元画像８１を０．１２５倍して作成したものであるため、表示枠９２で示される領域は、元画像８１上では（（ｃｘ−４０）／０．１２５、（ｃｙ−３０）／０．１２５）〜（（ｃｘ＋４０）／０．１２５、（ｃｙ＋３０）／０．１２５）＝（ｃｘ／０．１２５−３２０、ｃｙ／０．１２５−２４０）〜（ｃｘ／０．１２５＋３２０、ｃｙ／０．１２５＋２４０）の長方形の領域（表示枠９２に対応した領域）９１となる。
【００６５】
ここで、元画像８１上の領域９１は幅６４０画素、高さ４８０画素であるため、そのままでは拡大画像８３として高精細画像拡大表示部２２ｂに表示することができない。そこで、式１で示されるアフィン変換（Ｓｘ＝３２０／６４０＝０．５、Ｓｙ＝２４０／４８０＝０．５）を行うことによって、元画像８１上の領域９１の画像の大きさを変換して拡大画像８３を得る。
以上のようにすることで、ファイル選択ボタン３５で選択された画像を、高精細画像全体表示部２１上で指定された位置と、指定された拡大率に基づいて、高精細画像拡大表示部２２ｂに表示することが可能となる。
【００６６】
次いで、図８を参照して、拡大率が大きい場合における動作の例を示す。
なお、この例では、拡大率の大小判定は、例えば１０倍を基準に行い、１０倍を超える拡大率で高精細画像拡大表示部２２ｂに拡大画像を表示する場合には、図６に示されるような拡大設定サブウインドウ７２を表示するようにする。
図８には、本例の画像表示装置の操作画面１１における、ファイル選択ボタン３５により選択される画像（元データの画像であり、元画像と言う）１０１と、高精細画像全体表示部２１に表示される画像（全体画像と言う）１０２と、拡大設定サブウインドウ７２に表示される画像（中間画像と言う）１０３と、高精細画像拡大表示部２２ｂに表示される画像（拡大画像と言う）１０４との関係を示してある。この例では、高精細画像全体表示部２１に表示される画像を４０倍に拡大して高精細画像拡大表示部２２ｂに表示する。なお、本例の操作画面１１では、３つの高精細画像拡大表示部２２ａ、２２ｂ、２２ｃを有しているが、説明を簡単にするために、その１つである高精細画像拡大表示部２２ｂに表示される画像のみについて説明する。
【００６７】
ファイル選択ボタン３５により選択される元画像１０１は、例えば、幅５１２０画素、高さ３８４０画素の画像である。高精細画像全体表示部２１に表示される全体画像１０２は、例えば、幅６４０画素、高さ４８０画素の画像である。拡大設定サブウインドウ７２に表示される中間画像１０３は、例えば、幅４８０画素、高さ３６０画素の画像である。高精細画像拡大表示部２２ｂに表示される拡大画像１０４は、例えば、幅３２０画素、高さ２４０画素の画像である。
元画像１０１は、全体画像１０２より画像サイズが大きいため、そのままでは全体画像１０２として高精細画像全体表示部２１に表示することができない。そこで、式１により示されるアフィン変換（Ｓｘ＝６４０／５１２０＝０．１２５、Ｓｙ＝４８０／３８４０＝０．１２５）を行うことにより、元画像１０１を縮小して全体画像１０２を得る。
【００６８】
次に、各種のオペレータ操作によって指定された拡大率（本例では、４０倍）と、高精細全体表示部２１上で指定された位置（ｃｘ１、ｃｙ１）によって、中間枠１１３（図６における中間枠７１ａに相当するもの）が決定される。
ここで、拡大率が１０倍を超えているため、拡大設定サブウインドウ７２を表示する。
本例では、拡大設定サブウインドウ７２には、高精細画像全体表示部２１に表示されている全体画像１０２の１０倍の画像を中間画像１０３として表示する。このとき、拡大設定サブウインドウ７２に表示する中間画像１０３は幅４８０画素、高さ３６０画素であるため、拡大率１０倍で表示するためには、中間枠１１３の大きさは幅４８（＝４８０／１０）画素、高さ３６（＝３６０／１０）画素となる。従って、中間枠１１３は、全体画像２１上では、（ｃｘ１−２４、ｃｙ１−１８）〜（ｃｘ１＋２４、ｃｙ１＋１８）の長方形の領域となる。
【００６９】
次に、中間枠１１３に基づいて、中間画像１０３を元画像１０１から作成する。
全体画像１０２は、元画像１０１を０．１２５倍して作成したものであるため、中間枠１１３で示される領域は、元画像１０１上では、（（ｃｘ１−２４）／０．１２５、（ｃｙ１−１８）／０．１２５）〜（（ｃｘ１＋２４）／０．１２５、（ｃｙ１＋１８）／０．１２５）＝（ｃｘ１／０．１２５−１９２、ｃｙ１／０．１２５−１４４）〜（ｃｘ１／０．１２５＋１９２、ｃｙ１／０．１２５＋１４４）の長方形の領域（中間枠１１３に対応した領域）１１１となる。
【００７０】
ここで、元画像１０１上の領域１１１は幅３８４画素、高さ２８８画素であるため、そのままでは中間画像１０３として拡大設定サブウインドウ７２の枠にちょうど表示することができない。そこで、式１で示されるアフィン変換（Ｓｘ＝４８０／３８４＝１．２５、Ｓｙ＝３６０／２８８＝１．２５）を行うことによって、元画像１０１上の領域１１１の画像の大きさを変換して中間画像１０３を得る。
【００７１】
次に、各種のオペレータ操作によって、拡大設定サブウインドウ７２上で指定された位置（ｃｘ２、ｃｙ２）に基づいて、表示枠（図６における詳細枠に対応した表示枠７３に相当するもの）１１４が決定される。
ここで、拡大設定ウインドウ７２には、高精細画像全体表示部２１に表示されている全体画像１０２の拡大率１０倍の中間画像１０３が表示されているため、高精細画像拡大表示部２２ｂには、中間画像１０３の４（＝４０／１０）倍の画像が表示されることになる。このとき、高精細画像拡大表示部２２ｂに表示する拡大画像１０４は幅３２０画素、高さ２４０画素であるため、拡大率４倍で表示するためには、表示枠１１４の大きさは幅８０（＝３２０／４）画素、高さ６０（＝２４０／４）画素となる。従って、表示枠１１４は、中間画像１０３上では、（ｃｘ２−４０、ｃｙ２−３０）〜（ｃｘ２＋４０、ｃｙ２＋３０）の長方形の領域となる。
【００７２】
次に、表示枠１１４に基づいて、拡大画像１０４を元画像１０１から作成する。
中間画像１０３は、元画像１０１の領域１１１を１．２５倍して作成したものであるため、表示枠１１４で示される領域は、元画像１０１上では、（ｃｘ１／０．１２５−１９２＋（ｃｘ２−４０）／１．２５、ｃｙ１／０．１２５−１４４＋（ｃｙ２−３０）／１．２５）〜（ｃｘ１／０．１２５−１９２＋（ｃｘ２＋４０）／１．２５、ｃｙ１／０．１２５−１４４＋（ｃｙ２＋３０）／１．２５）＝（ｃｘ１／０．１２５−１９２＋ｃｘ２／１．２５−３２、ｃｙ１／０．１２５−１４４＋ｃｙ２／１．２５−２４）〜（ｃｘ１／０．１２５−１９２＋ｃｘ２／１．２５＋３２、ｃｙ１／０．１２５−１４４＋ｃｙ２／１．２５＋２４）の長方形の領域１１２となる。
【００７３】
ここで、元画像１０１上の領域１１２は幅６４画素、高さ４８画素であるため、そのままでは拡大画像１０４として高精細画像拡大表示部２２ｂの枠にちょうど表示することができない。そこで、式１で示されるアフィン変換（Ｓｘ＝３２０／６４＝５、Ｓｙ＝２４０／４８＝５）を行うことによって、元画像１０１上の領域１１２の画像の大きさを変換して拡大画像１０４を得る。
【００７４】
以上のようにすることで、例えば、拡大設定サブウインドウ７２を使用せずに、ファイル選択ボタン３５で選択された画像を、高精細画像全体表示部２１のみを使用して高精細画像拡大表示部２２ｂに拡大表示しようとした場合には、拡大率が４０倍になると、高精細画像全体表示部２１上の表示枠（詳細枠７１ｂに相当するもの）の大きさが幅８（＝３２０／４０）画素、高さ６（＝２４０／４０）となり、非常に小さい表示枠（詳細枠７１ｂに相当するもの）を用いて拡大表示位置を指定しなければならず、拡大表示枠を操作して拡大範囲を変更することや確認することが非常に困難であるという問題を解消することができる。
【００７５】
すなわち、本例では、ファイル選択ボタン３５で選択された画像を、高精細画像全体表示部２１上及び拡大設定サブウインドウ７２を用いて表示することで、拡大率が大きくなった場合においても、オペレータによる拡大表示枠の操作を視覚的に容易にすることができ、拡大指定された位置と指定された拡大率に基づいて高精細画像拡大表示部２２ｂに拡大画像を表示することができる。
なお、本例では、ファイル選択ボタン３５により選択される画像を拡大表示する構成を示したが、他の構成例として、画像表示装置の外部に接続されたカメラ等の撮像装置によって得られる画像に対して表示を行うような構成とすることも可能であり、本例と同様な効果が得られる。
【００７６】
次に、図２や図６及び図９を参照して、オペレータによる拡大率変更における拡大表示方法について説明する。
図９には、このような拡大表示方法を実現する処理の手順の一例を示してある。
まず、画像表示装置では、予め、オペレータなどにより中間枠７１ａの拡大率が設定される（ステップＳ１）。
ここで、本例では、中間枠７１ａの拡大率は、拡大設定サブウインドウ７２を表示する判定の基準となる拡大率であり、また、拡大設定サブウインドウ７２に表示する画像の拡大率でもある。
中間枠７１ａの拡大率の設定方法としては、種々なものが用いられてもよく、例えば、予め所定の拡大率を中間枠７１ａの拡大率として指定しておいてもよく、或いは、オリジナル画像（元画像）のサイズに基づいて算出される拡大率を中間枠７１ａの拡大率として設定してもよい。この例では、中間枠７１ａの拡大率を１０倍とする。
【００７７】
画像表示装置では、例えば常に或いは定期的に、オペレータによって表示枠３１ａ、３１ｂ、３１ｂの拡大率（本例では、高精細画像拡大表示部２２ａ、２２ｂ、２２ｃに対する拡大率）が変更されたか否かを判断する（ステップＳ２）。
表示枠３１ａ、３１ｂ、３１ｃの拡大率が変更された場合、画像表示装置では、オペレータによって変更された表示枠３１ｂの拡大率が、設定した中間枠７１aの拡大率よりも大きいか否かを判断する（ステップＳ３）。
【００７８】
オペレータによって変更された表示枠３１ａ、３１ｂ、３１ｃの拡大率が、設定した中間枠７１aの拡大率よりも大きい場合の例を示す。この例では、オペレータが表示枠３１ｂ（中間枠７１ａ）の拡大率を４０倍に変更したとする。
この場合、画像表示装置では、高精細画像全体表示部２１に中間枠７１ａを表示する（ステップＳ４）。本例では、予め設定された中間枠７１ａの拡大率である１０倍に対応する大きさの中間枠７１ａを、高精細画像全体表示部２１内に表示する。また、オペレータが変更した拡大率である４０倍に対応した表示枠は図6の詳細枠７１ｂのようになるが、本例では、実際には詳細枠７１ｂは表示されない。
【００７９】
また、画像表示装置では、操作画面１１上に、拡大設定サブウインドウ７２を表示する（ステップＳ５）。また、拡大設定サブウインドウ７２は、例えばオペレータによる操作などにより、任意の位置に移動させることが可能である。
また、画像表示装置では、表示した拡大設定サブウインドウ７２に中間枠７１ａの枠内の画像を拡大表示する（ステップＳ６）本例では、オリジナル画像（元画像）より中間枠７１ａの枠内の画像を切り出して、切り出した画像を拡大設定サブウインドウ７２のサイズに合わせて拡大又は縮小した画像７４を拡大設定サブウインドウ７２に表示する。
【００８０】
また、画像表示装置では、拡大設定サブウインドウ７２に表示された画像７４に、変更された拡大率の表示枠（詳細枠７１bに対応した表示枠）７３を表示する（ステップＳ７）。本例では、拡大設定サブウインドウ７２に表示された画像７４は１０倍の拡大率（中間枠７１aの拡大率）の画像であるため、当該１０倍の拡大率の画像７４に対する４０倍（変更された拡大率）の大きさに対応する表示枠７３を表示する。なお、拡大設定サブウインドウ７２上における表示枠７３についても、オペレータにより任意の位置に移動させることが可能である。
【００８１】
また、画像表示装置では、高精細画像拡大表示部２２ｂに表示枠（詳細枠７１ｂに対応した表示枠）７３内の画像を拡大表示する（ステップＳ８）。本例では、オリジナル画像（元画像）より、拡大設定サブウインドウ７２に表示された表示枠７３の枠内の画像を切り出して、切り出した画像を高精細画像拡大表示部２２ｂのサイズに合わせて拡大又は縮小した画像を高精細画像拡大表示部２２ｂに表示する。
【００８２】
オペレータによって変更された表示枠３１ａ、３１ｂ、３１ｃの拡大率が、設定した中間枠７１aの拡大率よりも小さい場合を示す。本例では、オペレータが表示枠３１ａの拡大率を５倍に変更したとする。
この場合、画像表示装置では、現在において拡大設定サブウインドウ７２が表示されているか否かを判断する（ステップＳ９）。
画像表示装置では、拡大設定サブウインドウ７２が表示されている場合には、当該拡大設定サブウインドウ７２を閉じ（ステップＳ１０）、拡大設定サブウインドウ７２が表示されていない場合にはこの処理は行わない。
【００８３】
また、画像表示装置では、高精細画像全体表示部２１に、変更された拡大率の表示枠３１ａを表示する（ステップＳ１１）。
また、画像表示装置では、高精細画像拡大表示部２２ａに、表示枠３１ａ内の画像を拡大表示する（ステップＳ１２）。本例では、オリジナル画像（元画像）より、高精細画像全体表示部２１に表示された表示枠３１ａの枠内の画像を切り出して、切り出した画像を高精細画像拡大表示部３１ａのサイズに合わせて拡大又は縮小した画像を高精細画像拡大表示部３１ａに表示する。
【００８４】
なお、本例では、拡大設定サブウインドウ７２に中間枠７１ａの枠内の画像を切り出して表示する構成としたが（ステップＳ６）、他の構成例として、拡大設定サブウインドウ７２に表示する画像の範囲としては必ずしも中間枠７１ａ（ステップＳ１の処理で設定された中間枠７１ａの拡大率により決まるもの）の範囲に限られず、例えば、詳細枠７１ｂの範囲の３００パーセント（％）に相当する範囲の画像を表示するなどのように、詳細枠７１ｂの大きさ（オペレータによって変更された表示枠３１ａ、３１ｂ、３１ｃの拡大率）に基づいて拡大設定サブウインドウ７２に表示する画像を設定する構成とすることもできる。
【００８５】
次に、部分画像の拡大に関して、画像表示装置の操作画面の別の一例を説明する。
図１０には、部分画像の拡大における画像表示装置の操作画面１１の別の一例を示してある。
なお、図１０では、図２や図６に示されるのと同様な部分については同一の符号を付して示してある。
【００８６】
高精細画像全体表示部２１に表示された中間枠（第１の中間枠）７１ａの枠内の画像が拡大表示された拡大設定サブウインドウ１２１（例えば、図６における拡大設定サブウインドウ７２と同様なもの）において、ある一定の拡大率よりも高い表示枠３１ｂ（詳細枠７１ｂ）の拡大率を指定したことにより表示枠（第２の中間枠）１２２が表示されている。更に、第２の中間枠１２２の枠内の画像が拡大表示された拡大設定サブウインドウ１３１が表示され、当該拡大設定サブウインドウ１３１において指定した位置及び拡大率に基づいた表示枠１３２の拡大画像が高精細画像拡大表示部２２ｂに表示されている。
【００８７】
例えば、表示枠３１ａ、３１ｂ、３１ｃの拡大率を非常に大きく設定すると、高精細画像全体表示部２１では詳細枠７１ｂが非常に小さくなってしまい、高精細画像全体表示部２１における詳細枠７１ｂ（本例では、表示しないもの）だけを用いて拡大する位置や拡大率を正確に設定することは難しくなる。このため、図６の例では、１つの拡大設定サブウインドウ７２を表示して詳細枠７１ｂに対応した表示枠７３を用いて拡大する位置及び拡大率を設定した。更に、図１０の例では、順次に複数の拡大設定サブウインドウ１２１、１３１を表示して、最終的な拡大設定サブウインドウ１３１より前の拡大設定サブウインドウ１２１における中間枠１２２及び最終的な拡大設定サブウインドウ１３１における表示枠（詳細枠７１ｂに対応した表示枠）１３２を用いて拡大する位置及び拡大率を適切に設定することを可能とした。
このように、本例では、設定した拡大率の高さによって拡大設定を行うための画面（拡大設定サブウインドウ１２１、１３１）を複数表示して更に高い拡大率を設定することができ、これにより、例えば、全体画像上で設定できる拡大率には限界があり拡大の精度が悪いという問題を解消することができる。
【００８８】
なお、本例では、拡大画像を高精細画像拡大表示部２２ａ、２２ｂ、２２ｃに表示出力する構成としたが、他の構成例として、当該拡大画像をプリンタなどの他の出力先へ出力することもできる。この場合、例えば、拡大画像をプリンタなどへ出力して印刷表示などするとともに、当該拡大画像を高精細画像拡大表示部２２ａ、２２ｂ、２２ｃに画面表示することが行われてもよく、或いは、プリンタなどへの出力のみが行われてもよい。例えば、操作画面１１には高精細画像拡大表示部２２ａ、２２ｂ、２２ｃを設けずに、高精細画像全体表示部２１や拡大設定サブウインドウ７２、１２１、１３１で設定された範囲の画像データが端末（本例では、画像表示装置）に接続されたプリンタなどへ直接出力される構成とすることもできる。
【００８９】
また、図６や図１０では、高精細画像全体表示部２１と拡大設定サブウインドウ７２、１２１との両方を表示したが、他の構成例として、これらのうちの片方のみを表示する構成としてもよく、例えば、操作画面１１において、拡大設定サブウインドウ７２、１２１が表示されるときには、高精細画像全体表示部２１が消去されて（表示されないようにして）、高精細画像全体表示部２１の表示に代わって拡大設定サブウインドウ７２、１２１の表示へ切り替えられる構成とすることができる。
また、同様に、図１０では、一連の複数の拡大設定サブウインドウ１２１、１３１が同一の画面上に表示される構成としたが、他の構成例として、拡大率の上昇に伴って複数の拡大設定サブウインドウ１２１、１３１が段階的に切り替わっていくように表示されてもよい。
また、例えば、各ウインドウの重なり部分を多くして、ウインドウが切り替わったように見せることも可能である。図６や図１０では、ウインドウ同士が一部重なっていて、拡大率が一番高いウインドウが一番上に表示される構成としてある。
【００９０】
次に、本例の画像表示方法や画像表示装置を適用することが可能なシステムの一例として、監視システムを示す。
図１１には、本例の監視システムの構成例を示してある。
本例の監視システムは、監視装置１４１と、監視端末装置１４２と、ネットワーク１４３と、監視装置１４１とネットワーク１４３とを接続する回線（アクセスライン）１４４と、監視端末装置１４２とネットワーク１４３とを接続する回線（アクセスライン）１４５を有している。ここで、ネットワーク１４３としては、種々なものが用いられてもよく、例えば、アナログ電話網や、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）網や、デジタル専用線網や、インターネットなどを用いることができる。
監視装置１４１は、ハードウエアの構成例として、テレビジョンカメラなどから構成された撮像装置１５１と、切替スイッチなどから構成された映像切替部１５２と、標準画像符号化部１５３と、高精細画像符号化部１５４と、異常検出部１５５と、通信部１５６と、撮像装置制御部１５７を備えている。
【００９１】
本例の監視装置１４１により行われる動作の一例を示す。
撮像装置１５１は、監視対象となる領域（監視対象領域）を撮像し、当該撮像により得られた画像（映像）の信号を映像切替部１５２へ出力する。
このとき、撮像装置１５１では、撮像装置制御部１５７から入力される制御信号により、標準画像を撮像する標準画像モードと、高精細画像を撮像する高精細画像モードとのいずれかが選択されて切り替えられる。本例では、標準画像としては例えば横６４０画素×高さ４８０画素の秒３０フレームの画像などが用いられ、高精細画像としては例えば横５１２０画素×高さ３８４０画素の秒７．５フレームの画像やそれ以上の画素を有する画像などが用いられる。
【００９２】
映像切替部１５２は、映像装置制御部１５７から入力される制御信号により、撮像装置１５１から出力される画像信号の入力先を切り替える。本例では、映像切替部１５２は、撮像装置１５１に標準画像モードが設定される場合には撮像装置１５１の出力端と標準画像符号化部１５３の入力端及び異常検出部１５５の入力端とが接続されるように信号経路を切り替え、撮像装置１５１に高精細画像モードが設定される場合には撮像装置１５１の出力端と高精細画像符号化部１５４の入力端とが接続されるように信号経路を切り替える。これにより、撮像装置１５１が標準画像を撮像した場合には撮像装置１５１から出力される標準画像が標準画像符号化部１５３及び異常検出部１５５へ供給され、撮像装置１５１が高精細画像を撮像した場合には撮像装置１５１から出力される高精細画像が高精細画像符号化部１５４へ供給される。
【００９３】
標準画像符号化部１５３は、撮像装置１５１から映像切替部１５２を介して入力された標準画像の画像信号を、所定の動画像符号化方式によって符号化し、当該符号化したデータを通信部１５６へ出力する。ここで、動画像符号化方式としては、種々な方式が用いられてもよく、例えば、ＭＰＥＧ−１や、ＭＰＥＧ−２や、ＭＰＥＧ−４や、モーションＪＰＥＧなどを用いることができる。
異常検出部１５５は、撮像装置１５１から映像切替部１５２を介して入力された標準画像の画像信号を、例えば差分法などによって処理して、監視対象領域内について不審者などの異常を検出する。
【００９４】
本例では、異常検出部１５５は、差分法などによって検出すべき物体が存在すると判定した場合に、それを不審者などの異常として検出する。
また、異常検出部１５５は、異常を検出した場合には、撮像装置制御部１５７に対して高精細画像を取得するためのリクエスト信号を送信（出力）し、また、検出した不審者などの異常が存在することを監視端末装置１４２へ報知するために、不審者などの異常が存在する位置の情報や、検出した時刻の情報や、検出に係る番号の情報などと共に異常の検出結果を通信部１５６に対して送信（出力）し、また、高精細画像符号化部１５４に対して検出した不審者などの異常が存在する画像範囲を特定する情報を送信（出力）する。
【００９５】
ここで、不審者などの異常が存在する画像範囲は、例えば、異常検出部１５５において生成される二値化画像中の変化領域となる画像部に基づいて算出される。具体的には、まず、当該変化領域となる画像部に対して当該変化領域の外接矩形を算出し、次に、当該外接矩形の上下左右を所定の画素数広げた画像範囲を取得して、当該画像範囲を不審者などの異常が存在する画像範囲とする。
また、上下左右に広げる当該所定の画素数としては、例えば３０画素などが用いられる。このように外接矩形に対して所定の画素数広げる理由は、不審者などの異常が存在するところの画像だけではなくその周りの画像も含めることによって、不審者などの異常がどの部分で検出されたのかや、より広く見るとどのような状態であるのかを視覚的に理解し易くするためである。
【００９６】
なお、本例では、差分法による処理の検出結果に基づいて不審者などの異常が存在する範囲を決定する構成を示したが、他の種々な構成が用いられてもよい。
一例として、監視対象領域に設置した、磁気センサや、赤外線センサや、圧力センサや、熱センサや、振動センサ等の外部センサからの入力に基づいて、画像上における当該外部センサによる検知範囲を特定して、当該検知範囲を不審者などの異常が存在する範囲として決定するようなことができる。この場合、異常検出部１５５は、外部センサからの入力に基づいて、異常を検出した場合には、撮像装置制御部１５７に対して高精細画像を取得するためのリクエスト信号を送信（出力）することや、検出した不審者などの異常が存在することを監視端末装置１４２へ報知するために不審者などの異常が存在する位置の情報や、検出した時刻の情報や、検出に係る番号の情報などと共に異常の検出結果を通信部１５６に対して送信（出力）することや、高精細画像符号化部１５４に対して検出した不審者などの異常が存在する画像範囲を特定する情報を送信（出力）することを行う。
【００９７】
高精細画像符号化部１５４は、撮像装置１５１から映像切替部１５２を介して入力された高精細画像の画像信号を、所定の静止画像符号化方式によって符号化し、当該符号化したデータを通信部１５６へ出力する。ここで、静止画像符号化方式としては、種々な方式が用いられてもよく、例えば、ＪＰＥＧや、ＪＰＥＧ２０００などを用いることができる。
また、高精細画像符号化部１５４は、例えば、入力される高精細画像から不審者などの異常が存在する画像範囲の部分画像を切り出して、当該部分画像のみを符号化して通信部１５６へ出力することも可能である。ここで、当該画像範囲としては、本例では、異常検出部１５５から通知される画像範囲が用いられる。また、不審者などの異常が存在する複数の画像範囲が異常検出部１５５により検出されて通知された場合には、高精細画像符号化部１５４は、これら複数の画像範囲のそれぞれに対応する複数の部分画像を切り出して、これら複数の部分画像を符号化して通信部１５６へ出力することも可能である。
【００９８】
また、高精細画像符号化部１５４は、異常検出部１５５から入力される異常の検出結果の情報を符号化したデータのヘッダ領域に記録して通信部１５６へ出力する。
ここで、符号化方式としてＪＰＥＧを用いる場合には、当該ヘッダ領域に記録する情報としては、ＪＰＥＧのヘッダ領域の記録規格であるＥｘｉｆに則ったものを用いることができる。また、符号化方式としてＪＰＥＧ２０００を用いる場合には、例えば、ＪＰＥＧ２０００のＲＯＩ（Ｒｅｇｉｏｎ  Ｏｆ  Ｉｎｔｅｒｅｓｔ）機能によって、不審者などの異常が存在する範囲を低圧縮率で圧縮するとともにそれ以外の範囲を高圧縮率で圧縮することにより、高精細画像のデータ量を効率良く少なくすることができる。
また、異常として検出された変化領域の大きさに基づいて符号化の際の圧縮率を変化させるような構成とすることもでき、この場合、例えば、変化領域が大きい場合には圧縮率を高くし、変化領域が小さい場合には圧縮率を低くする。変化領域が大きい場合には変化領域全体を見るために細部の情報は要らないことが多く、変化領域が小さい場合には変化領域の細部を見るために細部の情報が必要になることが多いと考えられる。
【００９９】
通信部１５６は、アクセスライン１４４を介してネットワーク１４３と接続されており、これら及びアクセスライン１４５を介して監視端末装置１４２と通信することができる。
通信部１５６は、標準画像符号化部１５３から出力される動画像符号化データや、高精細画像符号化部１５４から出力される静止画像符号化データや、異常検出部１５５から出力される不審者などの異常の検出結果に関する情報（検出結果データ）を入力し、これらのデータを監視端末装置１４２に宛ててアクセスライン１４４を介してネットワーク１４３へ送信出力する。
また、本例では、監視端末装置１４２から、高精細画像を取得するためのリクエスト信号が、監視装置１４１に宛ててアクセスライン１４５を介してネットワーク１４３へ送信出力される。
通信部１５６は、当該リクエスト信号をネットワーク１４３からアクセスライン１４４を介して受信入力し、当該受信入力したリクエスト信号を撮像装置制御部１５７へ送信（出力）する。
【０１００】
撮像装置制御部１５７は、高精細画像を取得するためのリクエスト信号が異常検出部１５５から入力された場合や或いは監視端末装置１４２から通信部１５６を介して入力された場合には、撮像装置１５１を制御信号により制御して高精細画像を撮像する高精細画像モードに設定するとともに、映像切替部１５２を制御信号により制御して高精細画像符号化部１５４側へ切り替える。これにより、異常検出部１５５において入力画像中に不審者などの異常を検出した場合や、監視端末装置１４２から高精細画像を取得するためのリクエスト信号を受けた場合に、撮像装置１５１で高精細画像を撮像してその画像を高精細画像符号化部１５４へ入力することができる。
また、撮像装置制御部１５７は、他の場合には、撮像装置１５１を制御信号により制御して標準画像を撮像する標準画像モードに設定するとともに、映像切替部１５２を制御信号により制御して標準画像符号化部１５３及び異常検出部１５５側へ切り替える。
【０１０１】
ここで、本例の画像表示方法や画像表示装置の機能は、例えば、図１１に示されるような監視システムの監視端末装置１４２に適用することが可能であり、一例として、監視装置１４１が監視端末装置１４２からのリクエストを受信した場合に或いは当該監視装置１４１における画像処理やセンサにより異常が検出された場合に高精細画像を撮像して監視端末装置１４２へ配信するような監視システムの監視端末装置１４２において、監視装置１４１から取得した画像（本例では、高精細画像）を画面に表示する際などに適用することができる。
なお、図２や図６や図１０に示されるように本例の画像表示装置の操作画面１１では標準画像（動画）を表示する領域（エリア）を設けていないが、他の構成例として、図１１に示される監視装置１４１が標準画像（動画）についても監視端末装置１４２へ配信することに対応して、監視端末装置１４２における操作画面１１に標準画像（動画）を表示する領域を設ける構成が用いられてもよい。
【０１０２】
以上のように、本例の画像表示方法や画像表示装置では、指定した画像を拡大表示する拡大表示機能（本例では、高精細画像拡大表示部２２ａ、２２ｂ、２２ｃに係る機能）と、拡大する範囲を指定する拡大範囲指定機能（本例では、高精細画像全体表示部２１における拡大する位置や拡大率の指定に係る機能）と、拡大する画像の範囲を表示する拡大範囲指定表示機能（本例では、高精細画像全体表示部２１における表示枠３１ａ、３１ｂ、３１ｃに係る機能）を有する構成において、拡大範囲指定機能により指定された拡大率を判定する拡大率判定機能と、拡大率判定機能による判定結果に基づいて拡大する範囲を表示する第２の拡大範囲指定表示機能（本例では、拡大設定サブウインドウ７２、１２１、１３１における表示枠７３、１３２に係る機能）と、拡大率判定機能による判定結果に基づいて拡大する範囲を指定する第２の拡大範囲指定機能（本例では、拡大設定サブウインドウ７２、１２１、１３１における拡大する位置や拡大率の指定に係る機能）を備え、オペレータにとって簡易に、拡大する画像の範囲を指定することができる。
【０１０３】
また、本例の画像表示方法や画像表示装置では、拡大率判定機能は、拡大範囲指定機能により指定された拡大率がある一定の値よりも高く指定されているか否かを判定し、これにより、拡大率が比較的高い場合には、視覚的に見易い大きめの表示により、拡大する範囲を指定することができる。
また、本例の画像表示方法や画像表示装置では、拡大率判定機能による判定結果に基づいて拡大率を変更した画像を表示するための補助画面（本例では、拡大設定サブウインドウ７２、１２１、１３１）を表示する補助画面表示機能を設け、第２の拡大範囲指定機能は補助画面を用いて表示した拡大範囲において指定を行い、これにより、補助画面上で拡大する範囲を表示して指定することができる。
【０１０４】
また、本例の画像表示方法や画像表示装置では、拡大率判定機能による判定結果に基づいて拡大率を変更した画像を表示するための補助画面（本例では、拡大設定サブウインドウ７２、１２１、１３１）を表示する補助画面表示機能を設け、拡大範囲指定表示機能は、全体画面に拡大する範囲を点滅表示する。これにより、全体画面上で拡大する範囲を点滅して表示し、指定することができる。また、第２の拡大範囲指定表示機能は、例えば、補助画面に拡大する範囲を点滅表示し、これにより、補助画面上で拡大する範囲を点滅させて表示し、指定することができる。
【０１０５】
ここで、点滅表示させる範囲としては、例えば、高精細画像拡大表示部２２ａ、２２ｂ、２２ｃに表示させる画像の範囲や、或いは、拡大設定サブウインドウ７２、１２１、１３１に表示させる画像の範囲などを用いることができる。
また、他の構成例として、枠が一定の大きさ以下になった場合に、当該枠を点滅表示させる態様の代わりに、当該枠の色を他の状態（当該一定の大きさより大きい枠の状態）とは変えるなどの態様を用いることもできる。
また、本例の画像表示方法や画像表示装置では、設定した拡大率に応じて、拡大範囲を設定するための画面（本例では、拡大設定サブウインドウ７２、１２１、１３１）を複数表示する。
【０１０６】
従って、本例の画像表示方法や画像表示装置では、オペレータが画像の拡大率を高く設定することによって拡大範囲が小さくなった場合においても、設定した拡大率に応じて画像の表示を変更することで、オペレータによる操作が容易になり、これにより、オペレータは拡大範囲の確認や変更を容易に行うことができる。
例えば、画像の拡大において高い拡大率を設定した場合には、縮小した全体画像上に表示される拡大表示枠（本例では、表示枠３１ａ、３１ｂ、３１ｃ）を操作して拡大範囲を確認することや変更することが困難になるが、本例では、このような問題を解消することができる。
【０１０７】
なお、本例の画像表示方法や画像表示装置や画像表示プログラムでは、高精細画像全体表示部２１に拡大範囲の指定対象となる画像を表示する拡大範囲指定対象画像の表示処理を実行する手段や、中間枠７１ａ、１２２により定められる一部の範囲の画像を拡大設定サブウインドウ７２、１２２、１３１に表示する一部範囲画像の表示処理を実行する手段や、拡大設定サブウインドウ７２、１３１において表示枠７３、１３２によりオペレータから拡大範囲の指定を受け付ける一部範囲画像の拡大範囲の指定受付処理を実行する手段や、拡大範囲の画像を高精細画像拡大表示部２２ａ、２２ｂ、２２ｃに表示する拡大範囲画像の表示処理を実行する手段を有している。
また、本例の画像表示方法や画像表示装置では、高精細画像全体表示部２１に表示された画像について表示枠３１ａ、３１ｂ、３１ｃによりオペレータから拡大範囲の指定を受け付ける拡大範囲指定対象画像の拡大範囲の指定受付処理を実行する手段や、拡大範囲の拡大率を検出する拡大範囲拡大率の検出処理を実行する手段や、拡大範囲の拡大率と所定の閾値との大小を比較する拡大範囲拡大率の閾値比較処理を実行する手段を有している。
【０１０８】
また、本例の画像表示方法や画像表示装置や画像表示プログラムでは、高精細画像全体表示部２１や拡大設定サブウインドウ７２、１２１、１３１に拡大範囲の指定対象となる画像を表示する画像表示処理を実行する手段や、表示された画像について枠３１ａ、３１ｂ、３１ｃ、７１ａ、１２２、１３２によりオペレータから拡大範囲の指定を受け付ける拡大範囲の指定受付処理を実行する手段や、拡大範囲の大きさを検出する拡大範囲大きさの検出処理を実行する手段や、拡大範囲の大きさと所定の閾値との大小を比較する拡大範囲大きさの閾値比較処理を実行する手段や、拡大範囲の大きさが比較的小さい場合には枠３１ａ、３１ｂ、３１ｃ、７１ａ、１２２、１３２を点滅などさせて表示する拡大範囲枠の表示処理を実行する手段を有している。
【０１０９】
ここで、本発明に係る画像表示方法などの態様や画像表示装置や監視システムなどの構成としては、必ずしも以上に示したものに限られず、種々な態様や構成が用いられてもよい。また、本発明は、例えば、本発明に係る処理を実行する方法或いは方式や、このような方法や方式を実現するためのプログラムや当該プログラムを記録する記録媒体などとして提供することが可能であり、また、種々な装置やシステムとして提供することも可能である。
また、本発明の適用分野としては、必ずしも以上に示したものに限られず、本発明は、種々な分野に適用することが可能なものである。
また、本発明に係る画像表示方法や画像表示装置や監視システムなどにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することができ、当該制御プログラムを当該記録媒体からコンピュータに入力してプロセッサに実行させることにより、本発明に係る処理を遂行させることができる。
【図面の簡単な説明】
【０１１０】
【図１】本発明の一実施例に係る画像表示装置の構成例を示す図である。
【図２】画像表示装置の表示画面の一例を示す図である。
【図３】画像表示装置における操作ボタン（拡大表示位置移動ボタン）の一例を示す図である。
【図４】画像表示装置における操作ボタン（拡大率変更ボタン）の一例を示す図である。
【図５】画像表示装置における操作ボタン（拡大率変更ポップアップメニュー）の一例を示す図である。
【図６】画像表示装置の表示画面の一例を示す図である。
【図７】画像の関係の一例を示す図である。
【図８】画像の関係の一例を示す図である。
【図９】拡大表示処理の手順の一例を示す図である。
【図１０】画像表示装置の表示画面の一例を示す図である。
【図１１】監視システムの一例を示す図である。
【図１２】画像表示装置の表示画面の一例を示す図である。
【図１３】画像表示装置の表示画面の一例を示す図である。
【図１４】画像表示装置の表示画面の一例を示す図である。
【符号の説明】
【０１１１】
１・・メモリ、  ２・・記憶装置、  ３・・ビデオインタフェース、  ４・・ＣＰＵ、  ５・・入力インタフェース、  ６・・バス、  ７・・モニタ、  ８・・入力機器、  ９・・ポインティングデバイス、  １１、１６１・・操作画面、  ２１・・高精細画像全体表示部、  ２２ａ、２２ｂ、２２ｃ・・高精細画像拡大表示部、  ３１ａ、３１ｂ、３１ｃ、７３、９１、１１４、１３２・・表示枠、  ３２ａ、３２ｂ、３２ｃ・・拡大表示選択ボタン、  ３３ａ、３３ｂ、３３ｃ、３３ｄ、４１・・拡大表示位置移動ボタン、  ３４、５１・・拡大率変更ボタン、  ３５・・ファイル選択ボタン、  ６１・・拡大率変更ポップアップメニュー、  ６２・・ポインタ、  ７１ａ、１１３、１２２・・中間枠、  ７１ｂ・・詳細枠、  ７２、１２１、１３１・・拡大設定サブウインドウ、  ７４、８１〜８３、１０１〜１０４、１８１、１９１・・画像、  ９２、１１１、１１２・・領域、  １４１・・監視装置、  １４２・・監視端末装置、  １４３・・ネットワーク、  １４４、１４５・・アクセスライン、  １５１・・撮像装置、  １５２・・映像切替部、  １５３・・標準画像符号化部、  １５４・・高精細画像符号化部、  １５５・・異常検出部、  １５６・・通信部、  １５７・・撮像装置制御部、  １７１・・主ウインドウ、  １７２・・副ウインドウ、  １７３・・拡大表示部、  １８２、１９２・・拡大範囲、
【図１】
2006121551.tif 000005
【図２】
2006121551.tif 000006
【図３】
2006121551.tif 000007
【図４】
2006121551.tif 000008
【図５】
2006121551.tif 000009
【図６】
2006121551.tif 000010
【図７】
2006121551.tif 000011
【図８】
2006121551.tif 000012
【図９】
2006121551.tif 000013
【図１０】
2006121551.tif 000014
【図１１】
2006121551.tif 000015
【図１２】
2006121551.tif 000016
【図１３】
2006121551.tif 000017
【図１４】
2006121551.tif 000018